(57)【特許請求の範囲】
【請求項１】
スプリンクラを消火システムの分岐線に接続するアセンブリであって、該アセンブリは、
該分岐線に接続可能な第１の端部、および該スプリンクラに接続可能な第２の端部を有する可撓性の導管であって、該分岐線と該スプリンクラとの間に流体的な連絡を提供する、可撓性の導管と、
該導管への該スプリンクラの取付けをもたらすために、該スプリンクラと該導管の該第２の端部との間に配置されたアダプタであって、該アダプタは、該スプリンクラと該導管との間に流体的な連絡を提供する穴を有し、該アダプタは、該スプリンクラに取付け可能な第１のアダプタ部分、および該導管の該第２の端部に取り付けられた第２のアダプタ部分を有し、該第１のアダプタ部分と第２のアダプタ部分とは、互いに相対的に回転可能である、アダプタと
を備え、
該第１のアダプタ部分は、自身の端部に配置され、該穴を囲む凹球面を備え、
該第２のアダプタ部分は、該穴を囲み、自身の１つの端部に配置された凸球面を備え、該第２のアダプタ部分の対向端部が、該導管の該第２の端部に取り付けられ、該凸球面は、該凹球面内に嵌合し、それによって、該第１のアダプタ部分と第２のアダプタ部分とが互いに相対的に回転することを可能にし、
固定器具が、凹球面を有し、該固定器具は、該第２のアダプタ部分の該凸球面を囲み、該第１のアダプタ部分に取り付けられ、該第２のアダプタ部分は、該固定器具と該第１のアダプタ部分との間に捕捉される、アセンブリ。
【請求項２】
前記第２のアダプタ部分と前記固定器具との間に配置された第１のシール、および該固定器具と前記第１のアダプタ部分との間に配置された第２のシールをさらに備える、請求項１に記載のアセンブリ。
【請求項３】
前記固定器具は、前記第１のアダプタ部分を螺合するナットを備える、請求項１に記載のアセンブリ。
【請求項４】
前記スプリンクラをさらに備える、請求項１に記載のアセンブリ。
【請求項５】
前記分岐線への前記導管の取付けをもたらすために、該分岐線と該導管の前記第１の端部との間に配置された第２のアダプタであって、該第２のアダプタは、該分岐線と該導管との間に流体的な連絡を提供する第２の穴を有し、該第２のアダプタは、該分岐線に取付け可能な第３のアダプタ部分、および該導管の該第１の端部に取り付けられた第４のアダプタ部分を有し、該第３のアダプタ部分と第４のアダプタ部分とは、互いに相対的に回転可能である、第２のアダプタをさらに備える、請求項１に記載のアセンブリ。
【請求項６】
前記第４のアダプタ部分は、前記導管の前記第１の端部に取り付けられた第２のチューブを備え、該第２のチューブは、前記第３のアダプタ部分の前記第２の穴の中に受容され、
リングシールが、該第３のアダプタ部分と第４のアダプタ部分との間に流体密の接続をもたらすために、該第２のチューブの外面と該第２の穴の内面との間に配置され、
分割リングが、該第２のチューブの該外面と該第２の穴の該内面との間に配置され、該分割リングは、該第２のチューブの該外面に配置された、外を向く円周溝内に嵌合するサイズの内側部分を有し、該分割リングは、該第２の穴の該内面に配置された、内を向く円周溝内に嵌合するサイズの外側部分をさらに有し、該分割リングは、該第３のアダプタ部分と第４のアダプタ部分との間の相対的軸方向運動を防止するが、該第２の穴と同心の縦軸周りの、該第３のアダプタ部分と第４のアダプタ部分との間の相対的回転を可能にする、請求項５に記載のアセンブリ。
【請求項７】
スプリンクラを消火システムの分岐線に接続するアセンブリであって、該アセンブリは、
該分岐線に接続可能な第１の端部、および該スプリンクラに接続可能な第２の端部を有する可撓性の導管であって、該分岐線と該スプリンクラとの間に流体的な連絡を提供する、可撓性の導管と、
該導管への該スプリンクラの取付けをもたらすために、該スプリンクラと該導管の該第２の端部との間に配置されたアダプタであって、該アダプタは、該スプリンクラと該導管との間に流体的な連絡を提供する穴を有し、該アダプタは、該スプリンクラに取付け可能な第１のアダプタ部分、および該導管の該第２の端部に取り付けられた第２のアダプタ部分を有し、該第１のアダプタ部分と第２のアダプタ部分とは、互いに相対的に回転可能である、アダプタと、
該分岐線への該導管の取付けをもたらすために、該分岐線と該導管の該第１の端部との間に配置された第２のアダプタであって、該第２のアダプタは、該分岐線と該導管との間に流体的な連絡を提供する第２の穴を有し、該第２のアダプタは、該分岐線に取付け可能な第３のアダプタ部分、および該導管の該第１の端部に取り付けられた第４のアダプタ部分を有し、該第３のアダプタ部分と第４のアダプタ部分とは、互いに相対的に回転可能である、第２のアダプタと
を備え、
該第３のアダプタ部分は、自身の端部に配置され、該第２の穴を囲む凹球面を備え、
該第４のアダプタ部分は、該第２の穴を囲み、自身の１つの端部に配置された凸球面を備え、該第４のアダプタ部分の対向端部が、該導管の該第２の端部に取り付けられ、該第４のアダプタ部分の該凸球面は、該第３のアダプタ部分の該凹球面の中に嵌合し、それによって、該第３のアダプタ部分と第４のアダプタ部分とが互いに相対的に回転することを可能にし、
第２の固定器具が、凹球面を有し、該第２の固定器具は、該第４のアダプタ部分の該凸球面を囲み、該第３のアダプタ部分に取り付けられ、該第４のアダプタ部分は、該第２の固定器具と該第３のアダプタ部分との間に捕捉される、アセンブリ。
【請求項８】
前記第２の固定器具と前記第４のアダプタ部分との間に配置された第３のシール、および該第２の固定器具と前記第３のアダプタ部分との間に配置された第４のシールをさらに備える、請求項７に記載のアセンブリ。
【請求項９】
前記第２の固定器具は、前記第３のアダプタ部分を螺合するナットを備える、請求項７に記載のアセンブリ。
【請求項１０】
前記スプリンクラをさらに備える、請求項５に記載のアセンブリ。
【請求項１１】
スプリンクラを消火システムの分岐線に接続するアセンブリであって、該アセンブリは、
該分岐線に接続可能な第１の端部、および該スプリンクラに接続可能な第２の端部を有する可撓性の導管であって、該導管は、該分岐線と該スプリンクラとの間に流体的な連絡を提供する、導管と、
該分岐線への該導管の取付けをもたらすために、該スプリンクラと該導管の該第１の端部との間に配置されたアダプタであって、該アダプタは、該分岐線と該導管との間に流体的な連絡を提供する穴を有し、該アダプタは、該分岐線に取付け可能な第１のアダプタ部分、および該導管の該第１の端部に取り付けられた第２のアダプタ部分を有し、該第１のアダプタ部分と第２のアダプタ部分とは、互いに相対的に回転可能である、アダプタと
を備え、
該第１のアダプタ部分は、自身の端部に配置され、該穴を囲む凹球面を備え、
該第２のアダプタ部分は、該穴を囲み、自身の１つの端部に配置された凸球面を備え、該第２のアダプタ部分の対向端部が、該導管の該第２の端部に取り付けられ、該凸球面は、該凹球面内に嵌合し、それによって、該第１のアダプタ部分と第２のアダプタ部分とが互いに相対的に回転することを可能にし、
固定器具が、凹球面を有し、該固定器具は、該第２のアダプタ部分の該凸球面を囲み、該第１のアダプタ部分に取り付けられ、該第２のアダプタ部分は、該固定器具と該第１のアダプタ部分との間に捕捉される、アセンブリ。
【請求項１２】
前記第２のアダプタ部分と前記固定器具との間に配置された第１のシール、および該固定器具と前記第１のアダプタ部分との間に配置された第２のシールをさらに備える、請求項１１に記載のアセンブリ。
【請求項１３】
前記固定器具は、前記第１のアダプタ部分を螺合するナットを備える、請求項１１に記載のアセンブリ。
【請求項１４】
前記スプリンクラをさらに備える、請求項１１に記載のアセンブリ。
【請求項１５】
前記スプリンクラへの前記導管の取付けをもたらすために、該スプリンクラと該導管の前記第２の端部との間に配置された第２のアダプタであって、該第２のアダプタは、該スプリンクラと該導管との間に流体的な連絡を提供する第２の穴を有し、該第２のアダプタは、該スプリンクラに取付け可能な第３のアダプタ部分、および該導管の該第２の端部に取り付けられた第４のアダプタ部分を有し、該第３のアダプタ部分と第４のアダプタ部分とは、互いに相対的に回転可能である、第２のアダプタをさらに備える、請求項１１に記載のアセンブリ。
【請求項１６】
前記第４のアダプタ部分は、前記導管の前記第２の端部に取り付けられた第２のチューブを備え、該第２のチューブは、前記第３のアダプタ部分の前記第２の穴の中に受容され、
リングシールが、該第３のアダプタ部分と第４のアダプタ部分の間に流体密の接続をもたらすために、該第２のチューブの外面と該第３のアダプタ部分の該第２の穴の内面との間に配置され、
分割リングが、該第２のチューブの該外面と該第３のアダプタ部分の該第２の穴の該内面との間に配置され、該分割リングは、該第２のチューブの該外面に配置された、外を向く円周溝内に嵌合するサイズの内側部分を有し、該分割リングは、該第３のアダプタ部分の該第２の穴の該内面に配置された、内を向く円周溝内に嵌合するサイズの外側部分をさらに有し、該分割リングは、該第３のアダプタ部分と第４のアダプタ部分との間の相対的軸方向運動を防止するが、該第２の穴と同心の縦軸周りの、該第３のアダプタ部分と第４のアダプタ部分との間での相対的回転を可能にする、請求項１５に記載のアセンブリ。
【請求項１７】
スプリンクラを消火システムの分岐線に接続するアセンブリであって、該アセンブリは、
該分岐線に接続可能な第１の端部、および該スプリンクラに接続可能な第２の端部を有する可撓性の導管であって、該導管は、該分岐線と該スプリンクラとの間に流体的な連絡を提供する、導管と、
該分岐線への該導管の取付けをもたらすために、該スプリンクラと該導管の該第１の端部との間に配置されたアダプタであって、該アダプタは、該分岐線と該導管との間に流体的な連絡を提供する穴を有し、該アダプタは、該分岐線に取付け可能な第１のアダプタ部分、および該導管の該第１の端部に取り付けられた第２のアダプタ部分を有し、該第１のアダプタ部分と第２のアダプタ部分とは、互いに相対的に回転可能である、アダプタと、
該スプリンクラへの該導管の取付けをもたらすために、該スプリンクラと該導管の該第２の端部との間に配置された第２のアダプタであって、該第２のアダプタは、該スプリンクラと該導管との間に流体的な連絡を提供する第２の穴を有し、該第２のアダプタは、該スプリンクラに取付け可能な第３のアダプタ部分、および該導管の該第２の端部に取り付けられた第４のアダプタ部分を有し、該第３のアダプタ部分と第４のアダプタ部分とは、互いに相対的に回転可能である、第２のアダプタと
を備え、
該第３のアダプタ部分は、自身の端部に配置され、該第２の穴を囲む凹球面を備え、
該第４のアダプタ部分は、該第２の穴を囲み、自身の１つの端部に配置された凸球面を備え、該第４のアダプタ部分の対向端部が、該導管の該第２の端部に取り付けられ、該第４のアダプタ部分の該凸球面は、該第３のアダプタ部分の該凹球面内に嵌合し、それによって、該第３のアダプタ部分と第４のアダプタ部分とが互いに相対的に回転することを可能にし、
第２の固定器具が、凹球面を有し、該第２の固定器具は、該第４のアダプタ部分の該凸球面を囲み、該第３のアダプタ部分に取り付けられ、該第４のアダプタ部分は、該第２の固定器具と該第３のアダプタ部分との間に捕捉される、アセンブリ。
【請求項１８】
前記第２の固定器具と前記第４のアダプタ部分との間に配置された第３のシール、および該第２の固定器具と前記第３のアダプタ部分との間に配置された第４のシールをさらに備える、請求項１７に記載のアセンブリ。
【請求項１９】
前記第２の固定器具は、前記第３のアダプタ部分を螺合するナットを備える、請求項１７に記載のアセンブリ。
【請求項２０】
前記スプリンクラをさらに備える、請求項１５に記載のアセンブリ。
【請求項２１】
スプリンクラを消火システムの分岐線に接続するアセンブリであって、該アセンブリは、
該分岐線に接続可能な第１の端部、および該スプリンクラに接続可能な第２の端部を有する可撓性の導管であって、該分岐線と該スプリンクラとの間に流体的な連絡を提供する、可撓性の導管と、
該可撓性の導管への該スプリンクラの取付けをもたらすために、該スプリンクラと該可撓性の導管の該第２の端部との間に配置されたアダプタと、
該アダプタに近接する該可撓性の導管の一部分を同軸上に囲むスリーブであって、該スリーブと該可撓性の導管とは、互いに相対的に回転可能であり、それによって、トルクが該スリーブを介して該可撓性の導管に印加されることを防止する、スリーブと
を備え、
該スリーブは、第１の縦に延在する縁と、該第１の縦に延在する縁と対面する、第２の縦に延在する縁とを有する単一体を備える、アセンブリ。
【請求項２２】
前記スリーブは、複数の平坦な外を向く面を備える、請求項２１に記載のアセンブリ。
【請求項２３】
前記スリーブは、六角形断面を形成する６つの外を向く面を備える、請求項２２に記載のアセンブリ。
【請求項２４】
前記第１の縦に延在する縁は、前記第２の縦に延在する縁に離間して配置されて、その間に間隙を画定する、請求項２１に記載のアセンブリ。
【請求項２５】
スプリンクラを消火システムの分岐線に接続するアセンブリであって、該アセンブリは、
該分岐線に接続可能な第１の端部、および該スプリンクラに接続可能な第２の端部を有する可撓性の導管であって、該分岐線と該スプリンクラとの間に流体的な連絡を提供する、可撓性の導管と、
該可撓性の導管への該スプリンクラの取付けをもたらすために、該スプリンクラと該可撓性の導管の該第２の端部との間に配置されたアダプタと、
該アダプタに近接する該可撓性の導管の一部分を同軸上に囲むスリーブであって、該スリーブと該可撓性の導管とは、互いに相対的に回転可能であり、それによって、トルクが該スリーブを介して該可撓性の導管に印加されることを防止する、スリーブと
を備え、
該可撓性の導管は、波形外面を有し、該波形外面は、中央空間の周囲に円周方向に延在し、該中間空間を画定する複数の第１の頂点および谷を備え、該スリーブは、円周方向に延在し、離間している複数の第２の頂点および谷を備える波形の内向き面を有することにより、該第１の頂点および谷内に嵌合し、それによって、相対的な該導管への該スリーブの軸方向滑り運動を防止する、アセンブリ。
【請求項２６】
前記可撓性の導管は、波形外面を有し、該波形外面は、中央空間の周囲に螺旋状に延在し、該中央空間を画定する複数の第１の頂点および谷を備え、前記スリーブは、螺旋状に延在し、離間している複数の第２の頂点および谷を備える波形の内向き面を有することにより、該第１の頂点および谷内に嵌合し、それによって、相対的な該導管への該スリーブの軸方向滑り運動を防止する、請求項２１に記載のアセンブリ。
【請求項２７】
スプリンクラを消火システムの分岐線に接続するアセンブリであって、該アセンブリは、
該分岐線に接続可能な第１の端部、および該スプリンクラに接続可能な第２の端部を有する可撓性の導管であって、該分岐線と該スプリンクラとの間に流体的な連絡を提供する、可撓性の導管と、
該可撓性の導管への該スプリンクラの取付けをもたらすために、該スプリンクラと該可撓性の導管の該第２の端部との間に配置されたアダプタと、
該アダプタに近接する該可撓性の導管の一部分を同軸上に囲むスリーブであって、該スリーブと該可撓性の導管とは、互いに相対的に回転可能であり、それによって、トルクが該スリーブを介して該可撓性の導管に印加されることを防止する、スリーブと、
該スリーブと該アダプタとの間の該可撓性の導管上に載置された第１の段部であって、該可撓性の導管から半径方向外向きに突出する、第１の段部と、
該可撓性の導管上に載置され、該第１の段部の該スリーブの対向端部に配置された第２の段部であって、該第２の段部は、該可撓性の導管から半径方向外向きに突出し、該スリーブは、該第１の段部と第２の段部との間に捕捉される、第２の段部と
を備える、アセンブリ。
【請求項２８】
前記スプリンクラをさらに備える、請求項２１に記載のアセンブリ。
【発明の詳細な説明】
【技術分野】
【０００１】
（発明の分野）
本発明は、スプリンクラを消火システムの中の分岐線に接続するための可撓性のアセンブリに関する。
【背景技術】
【０００２】
例えば、オフィスビル、ホテル、倉庫、および個人住居といった建築物で使用される消火スプリンクラシステムは、例えば、水のような液体、またはハロンといった気体の、加圧された消火液の供給源に接続されるライザーパイプを備える管網を有する。分岐管路は、構造物の各階でライザーパイプに接続され、消火液が分岐線を通って各階のいずれかの場所に送達されてもよいように、各階中に延在する。分岐線は、大抵、各階の構造上の天井に取り付けられたハンガに懸架される。火災の事象において液体を発射する働きをするスプリンクラは、可撓性の導管によって分岐線に接続される。可撓性の導管の使用によって、スプリンクラの位置が、各階の構造上の天井の真下に懸架される場合がある装飾天井に対して、横方向および垂直方向の両方に、容易に調整することを可能にするため、大きな利点を提供する。可撓性の導管は、技術者が、分岐線を階のスプリンクラヘッドに接続するために、連結器およびパイプセグメントから構成される硬質パイプアセンブリを設置する必要がないので、設置する間の時間が節約される。硬質パイプアセンブリでは、設計または設置のいずれかにおけるわずかな計算間違いでさえ、審美的および機能的に容認することができず、再設計および再設置が必要とされ得る。
【発明の概要】
【発明が解決しようとする課題】
【０００３】
有利ではあるものの、スプリンクラを消火システムの分岐線に接続することに使用される可撓性の導管は、ある欠点を有する。例えば、可撓性の導管が使用されるときに生じる１つの不利な点は、導管を締め過ぎるという問題である。スプリンクラはねじ式接続部を有してもよく、トルクはねじ式接続部を可撓性の導管の端部に接続するように印加される。スプリンクラの設置中に導管に不注意に印加されたトルクは、例えば、導管が分岐線に接続される接続金具に、漏れを発生させる場合がある。加えて、トルクは、分岐線とスプリンクラとの間の相対運動による地震等、地震性の事象の結果として、可撓性の導管に印加される場合がある。印加されたトルクにより、可撓性の導管が損傷し、漏れを引き起こす場合、それが事象の結果として、消火液が、火災が発生したシステムの他の部品に到達することを妨げる場合がある。損傷を避けるために、可撓性の導管にトルクを印加することを避けることは有利である。既知の可撓性の導管と関連付けられる不利な点を防止する可撓性のアセンブリに対するニーズは明らかに存在する。
【課題を解決するための手段】
【０００４】
本発明は、スプリンクラを消火システムの分岐線に接続するアセンブリに関する。一実施形態では、アセンブリは、分岐線に接続可能な第１の端部、およびスプリンクラに接続可能な第２の端部を有する可撓性の導管を備える。導管は、分岐線とスプリンクラとの間に流体的な連絡を提供する。アダプタは、導管へのスプリンクラの取付けをもたらすために、スプリンクラと導管の第２の端部との間に配置される。アダプタは、スプリンクラと導管との間に流体的な連絡を提供する穴を有する。アダプタは、スプリンクラに取付け可能な第１のアダプタ部分、および導管の第２の端部に取り付けられた第２のアダプタ部分を有する。第１と第２のアダプタ部分とは、互いに相対的に回転可能である。
【０００５】
例示的実施形態では、第２のアダプタ部分は、導管の第２の端部に取り付けられたチューブを備える。チューブは、第１のアダプタ部分の穴の中に受容される。リングシールは、第１と第２のアダプタ部分との間に流体密の接続をもたらすために、チューブの外面と第１のアダプタ部分の穴の内面との間に配置される。分割リングは、チューブの外面と第１のアダプタ部分の穴の内面との間に配置される。分割リングは、チューブの外面に配置された、外を向く円周溝内に嵌合するサイズの内側部分を有する。分割リングはさらに、第１のアダプタ部分の穴の内面に配置された、内を向く円周溝内に嵌合するサイズの外側部分を有する。分割リングは、第１と第２のアダプタ部分との間の相対的軸方向運動を防止するが、穴と同心の縦軸周りの、第１と第２のアダプタ部分との間での相対的回転を可能にする。
【０００６】
別の例示的実施形態では、第１のアダプタ部分は、その端部に配置された凹球面を備える。凹球面は穴を囲む。第２のアダプタ部分は、穴を囲む凸球面を備える。凸球面は、第２のアダプタ部分の１つの端部に配置される。第２のアダプタ部分の対向端部は、導管の第２の端部に取り付けられる。凸球面は、凹球面内に嵌合し、それによって、第１と第２のアダプタ部分とが互いに相対的に回転することを可能にする。本実施形態はまた、凹球面を有する固定器具を有する。固定器具は、第２のアダプタ部分の凸球面を囲み、第１のアダプタ部分に取り付けられる。第２のアダプタ部分は、固定器具と第１のアダプタ部分との間に捕捉される。
【０００７】
また別の実施形態では、第２のアダプタは、分岐線へ導管の取付けをもたらすために、分岐線と導管の第１の端部との間に配置される。第２のアダプタは、分岐線と導管との間に流体的な連絡を提供する第２の穴を有する。第２のアダプタは、分岐線に取付け可能な第３のアダプタ部分、および導管の第１の端部に取り付けられた第４のアダプタ部分を有する。第３と第４のアダプタ部分とは、互いに相対的に回転可能である。
【０００８】
実施形態では、第４のアダプタ部分は、導管の第１の端部に取り付けられた第２のチューブを備え、第２のチューブは、第３のアダプタ部分の第２の穴の中に受容される。リングシールは、第３と第４のアダプタ部分との間に流体密の接続をもたらすために、第２のチューブの外面と第２の穴の内面との間に配置される。さらに、分割リングは、第２のチューブの外面と第２の穴の内面との間に配置される。分割リングは、第２のチューブの外面に配置された、外を向く円周溝内に嵌合するサイズの内側部分を有する。分割リングはさらに、第２の穴の内面に配置された、内を向く円周溝内に嵌合するサイズの外側部分を有する。分割リングは、第３と第４のアダプタ部分との間の相対的軸方向運動を防止するが、第２の穴と同心の縦軸周りの、第３と第４のアダプタ部分との間での相対的回転を可能にする。
【０００９】
また別の実施形態では、第３のアダプタ部分は、その端部に配置された凹球面を備える。凹球面部分は第２の穴を囲む。第４のアダプタ部分は、第２の穴を囲み、その１つの端部に配置された凸球面を備える。第４のアダプタ部分の対向端部は、導管の第２の端部に取り付けられる。第４のアダプタ部分の凸球面は、第３のアダプタ部分の凹球面内に嵌合し、それによって、第３と第４のアダプタ部分とが互いに相対的に回転することを可能にする。本実施形態はまた、凹球面を有する第２の固定器具を含む。第２の固定器具は、第４のアダプタ部分の凸球面を囲み、第３のアダプタ部分に取り付けられる。第４のアダプタ部分は、第２の固定器具と第３のアダプタ部分との間に捕捉される。
【００１０】
スプリンクラを消火システムの分岐線に接続するアセンブリのなおも別の例示的実施形態では、アセンブリは、分岐線に接続可能な第１の端部、およびスプリンクラに接続可能な第２の端部を有する可撓性の導管を備える。導管は、分岐線とスプリンクラとの間に流体的な連絡を提供する。アダプタは、分岐線への導管の取付けをもたらすために、スプリンクラと導管の第１の端部との間に配置される。アダプタは、分岐線と導管との間に流体的な連絡を提供する穴を有する。アダプタは、分岐線に取付け可能な第１のアダプタ部分、および導管の第１の端部に取り付けられた第２のアダプタ部分を有する。第１と第２のアダプタ部分とは、互いに相対的に回転可能である。
【００１１】
一実施形態では、第２のアダプタ部分は、導管の第１の端部に取り付けられたチューブを備える。チューブは、第１のアダプタ部分の穴の中に受容される。リングシールは、第１と第２のアダプタ部分との間に流体密の接続をもたらすために、チューブの外面と第１のアダプタ部分の穴の内面との間に配置される。分割リングは、チューブの外面と第１のアダプタ部分の穴の内面との間に配置される。分割リングは、チューブの外面に配置された、外を向く円周溝内に嵌合するサイズの内側部分を有する。分割リングはさらに、第１のアダプタ部分の穴の内面に配置された、内を向く円周溝内に嵌合するサイズの外側部分を有する。分割リングは、第１と第２のアダプタ部分との間の相対的軸方向運動を防止するが、穴と同心の縦軸周りの、第１と第２のアダプタ部分との間での相対的回転を可能にする。
【００１２】
１つの例示的実施形態では、第１のアダプタ部分は、アダプタ部分の端部に配置され、穴を囲む凹球面を備える。第２のアダプタ部分は、穴を囲み、その１つの端部に配置された凸球面を備える。第２のアダプタ部分の対向端部は、導管の第２の端部に取り付けられる。凸球面は、凹球面内に嵌合し、それによって、第１と第２のアダプタ部分とが互いに相対的に回転することを可能にする。凹球面を有する固定器具は、第２のアダプタ部分の凸球面を囲み、第１のアダプタ部分に取り付けられる。第２のアダプタ部分は、固定器具と第１のアダプタ部分との間に捕捉される。
【００１３】
別の実施形態では、第２のアダプタは、スプリンクラへの導管の取り付けをもたらすために、スプリンクラと導管の第２の端部との間に配置される。第２のアダプタは、スプリンクラと導管との間に流体的な連絡を提供する第２の穴を有する。第２のアダプタは、スプリンクラに取付け可能な第３のアダプタ部分、および導管の第２の端部に取り付けられた第４のアダプタ部分を有する。第３と第４のアダプタ部分とは、互いに相対的に回転可能である。
【００１４】
１つの例示的実施形態では、第４のアダプタ部分は、導管の第２の端部に取り付けられた第２のチューブを備える。第２のチューブは、第３のアダプタ部分の第２の穴の中に受容される。リングシールは、第３と第４のアダプタ部分との間に流体密の接続をもたらすために、第２のチューブの外面と第３のアダプタ部分の第２の穴の内面との間に配置される。分割リングは、第２のチューブの外面と第３のアダプタ部分の第２の穴の内面との間に配置される。分割リングは、第２のチューブの外面に配置された、外を向く円周溝内に嵌合するサイズの内側部分を有する。分割リングはさらに、第３のアダプタ部分の第２の穴の内面に配置された、内を向く円周溝内に嵌合するサイズの外側部分を有する。分割リングは、第３と第４のアダプタ部分との間の相対的軸方向運動を防止するが、第２の穴と同心の縦軸周りの、第３と第４のアダプタ部分との間での相対的回転を可能にする。
【００１５】
別の実施形態では、第３のアダプタ部分は、その端部に配置され、第２の穴を囲む凹球面を備える。第４のアダプタ部分は、第２の穴を囲み、その１つの端部に配置された凸球面を備える。第２のアダプタ部分の対向端部は、導管の第２の端部に取り付けられる。第４のアダプタ部分の凸球面は、第３のアダプタ部分の凹球面内に嵌合し、それによって、第３と第４のアダプタ部分とが互いに相対的に回転することを可能にする。第２の固定器具は凹球面を有する。第２の固定器具は、第４のアダプタ部分の凸球面を囲み、第３のアダプタ部分に取り付けられる。第４のアダプタ部分は、第２の固定器具と第３のアダプタ部分との間に捕捉される。
【００１６】
別の実施形態では、アセンブリは、分岐線に接続可能な第１の端部、およびスプリンクラに接続可能な第２の端部を有する、可撓性の導管を備える。可撓性の導管は、分岐線とスプリンクラとの間に流体的な連絡を提供する。アダプタは、可撓性の導管へのスプリンクラの取り付けをもたらすために、スプリンクラと可撓性の導管の第２の端部との間に配置される。スリーブは、アダプタに近接する可撓性の導管の一部分を同軸上に囲む。スリーブと可撓性の導管とは、互いに相対的に回転可能であり、それによって、トルクがスリーブを通って可撓性の導管に印加されるのを防止する。
本明細書は、例えば、以下の項目も提供する。
（項目１）
スプリンクラを消火システムの分岐線に接続するアセンブリであって、該アセンブリは、
該分岐線に接続可能な第１の端部、および該スプリンクラに接続可能な第２の端部を有する可撓性の導管であって、該分岐線と該スプリンクラとの間に流体的な連絡を提供する、可撓性の導管と、
該導管への該スプリンクラの取付けをもたらすために、該スプリンクラと該導管の該第２の端部との間に配置されたアダプタであって、該アダプタは、該スプリンクラと該導管との間に流体的な連絡を提供する穴を有し、該アダプタは、該スプリンクラに取付け可能な第１のアダプタ部分、および該導管の該第２の端部に取り付けられた第２のアダプタ部分を有し、該第１のアダプタ部分と第２のアダプタ部分とは、互いに相対的に回転可能である、アダプタと
を備える、アセンブリ。
（項目２）
前記第２のアダプタ部分は、前記導管の前記第２の端部に取り付けられたチューブを備え、該チューブは、前記第１のアダプタ部分の前記穴の中に受容され、
リングシールが、該第１のアダプタ部分と第２のアダプタ部分との間に流体密の接続をもたらすために、該チューブの外面と該第１のアダプタ部分の該穴の内面との間に配置され、
分割リングが、該チューブの該外面と該第１のアダプタ部分の該穴の該内面との間に配置され、該分割リングは、該チューブの外面に配置された、外を向く円周溝内に嵌合するサイズの内側部分を有し、該分割リングは、該第１のアダプタ部分の該穴の該内面に配置された、内を向く円周溝内に嵌合するサイズの外側部分をさらに有し、該分割リングは、該第１のアダプタ部分と第２のアダプタ部分との間の相対的軸方向運動を防止するが、該穴と同心の縦軸周りの、該第１のアダプタ部分と第２のアダプタ部分と間での相対的回転を可能にする、項目１に記載のアセンブリ。
（項目３）
前記第１のアダプタ部分は、自身の端部に配置され、前記穴を囲む凹球面を備え、
前記第２のアダプタ部分は、該穴を囲み、自身の１つの端部に配置された凸球面を備え、該第２のアダプタ部分の対向端部が、前記導管の前記第２の端部に取り付けられ、該凸球面は、該凹球面内に嵌合し、それによって、該第１のアダプタ部分と第２のアダプタ部分とが互いに相対的に回転することを可能にし、
固定器具が、凹球面を有し、該固定器具は、該第２のアダプタ部分の該凸球面を囲み、該第１のアダプタ部分に取り付けられ、該第２のアダプタ部分は、該固定器具と該第１のアダプタ部分との間に捕捉される、項目１に記載のアセンブリ。
（項目４）
前記第２のアダプタ部分と前記固定器具との間に配置された第１のシール、および該固定器具と前記第１のアダプタ部分との間に配置された第２のシールをさらに備える、項目３に記載のアセンブリ。
（項目５）
前記固定器具は、前記第１のアダプタ部分を螺合するナットを備える、項目３に記載のアセンブリ。
（項目６）
前記スプリンクラをさらに備える、項目１に記載のアセンブリ。
（項目７）
前記分岐線への前記導管の取付けをもたらすために、該分岐線と該導管の前記第１の端部との間に配置された第２のアダプタであって、該第２のアダプタは、該分岐線と該導管との間に流体的な連絡を提供する第２の穴を有し、該第２のアダプタは、該分岐線に取付け可能な第３のアダプタ部分、および該導管の該第１の端部に取り付けられた第４のアダプタ部分を有し、該第３のアダプタ部分と第４のアダプタ部分とは、互いに相対的に回転可能である、第２のアダプタをさらに備える、項目１に記載のアセンブリ。
（項目８）
前記第４のアダプタ部分は、前記導管の前記第１の端部に取り付けられた第２のチューブを備え、該第２のチューブは、前記第３のアダプタ部分の前記第２の穴の中に受容され、
リングシールが、該第３のアダプタ部分と第４のアダプタ部分との間に流体密の接続をもたらすために、該第２のチューブの外面と該第２の穴の内面との間に配置され、
分割リングが、該第２のチューブの該外面と該第２の穴の該内面との間に配置され、該分割リングは、該第２のチューブの該外面に配置された、外を向く円周溝内に嵌合するサイズの内側部分を有し、該分割リングは、該第２の穴の該内面に配置された、内を向く円周溝内に嵌合するサイズの外側部分をさらに有し、該分割リングは、該第３のアダプタ部分と第４のアダプタ部分との間の相対的軸方向運動を防止するが、該第２の穴と同心の縦軸周りの、該第３のアダプタ部分と第４のアダプタ部分との間の相対的回転を可能にする、項目７に記載のアセンブリ。
（項目９）
前記第３のアダプタ部分は、自身の端部に配置され、前記第２の穴を囲む凹球面を備え、
前記第４のアダプタ部分は、該第２の穴を囲み、自身の１つの端部に配置された凸球面を備え、該第４のアダプタ部分の対向端部が、前記導管の前記第２の端部に取り付けられ、該第４のアダプタ部分の該凸球面は、該第３のアダプタ部分の該凹球面の中に嵌合し、それによって、該第３のアダプタ部分と第４のアダプタ部分とが互いに相対的に回転することを可能にし、
第２の固定器具が、凹球面を有し、該第２の固定器具は、該第４のアダプタ部分の該凸球面を囲み、該第３のアダプタ部分に取り付けられ、該第４のアダプタ部分は、該第２の固定器具と該第３のアダプタ部分との間に捕捉される、項目７に記載のアセンブリ。
（項目１０）
前記第２の固定器具と前記第４のアダプタ部分との間に配置された第３のシール、および該第２の固定器具と前記第３のアダプタ部分との間に配置された第４のシールをさらに備える、項目９に記載のアセンブリ。
（項目１１）
前記第２の固定器具は、前記第３のアダプタ部分を螺合するナットを備える、項目９に記載のアセンブリ。
（項目１２）
前記スプリンクラをさらに備える、項目７に記載のアセンブリ。
（項目１３）
スプリンクラを消火システムの分岐線に接続するアセンブリであって、該アセンブリは、
該分岐線に接続可能な第１の端部、および該スプリンクラに接続可能な第２の端部を有する可撓性の導管であって、該導管は、該分岐線と該スプリンクラとの間に流体的な連絡を提供する、導管と、
該分岐線への該導管の取付けをもたらすために、該スプリンクラと該導管の該第１の端部との間に配置されたアダプタであって、該アダプタは、該分岐線と該導管との間に流体的な連絡を提供する穴を有し、該アダプタは、該分岐線に取付け可能な第１のアダプタ部分、および該導管の該第１の端部に取り付けられた第２のアダプタ部分を有し、該第１のアダプタ部分と第２のアダプタ部分とは、互いに相対的に回転可能である、アダプタと
を備える、アセンブリ。
（項目１４）
前記第２のアダプタ部分は、前記導管の前記第１の端部に取り付けられたチューブを備え、該チューブは、前記第１のアダプタ部分の前記穴の中に受容され、
リングシールが、該第１のアダプタ部分と第２のアダプタ部分との間に流体密の接続をもたらすために、該チューブの外面と該第１のアダプタ部分の該穴の内面との間に配置され、
分割リングが、該チューブの該外面と該第１のアダプタ部分の該穴の該内面との間に配置され、該分割リングは、該チューブの該外面に配置された、外を向く円周溝内に嵌合するサイズの内側部分を有し、該分割リングは、該第１のアダプタ部分の該穴の該内面に配置された、内を向く円周溝内に嵌合するサイズの外側部分をさらに有し、該分割リングは、該第１のアダプタ部分と第２のアダプタ部分との間の相対的軸方向運動を防止するが、該穴と同心の縦軸周りの、該第１のアダプタ部分と第２のアダプタ部分との間の相対的回転を可能にする、項目１３に記載のアセンブリ。
（項目１５）
前記第１のアダプタ部分は、自身の端部に配置され、前記穴を囲む凹球面を備え、
前記第２のアダプタ部分は、該穴を囲み、自身の１つの端部に配置された凸球面を備え、該第２のアダプタ部分の対向端部が、前記導管の前記第２の端部に取り付けられ、該凸球面は、該凹球面内に嵌合し、それによって、該第１のアダプタ部分と第２のアダプタ部分とが互いに相対的に回転することを可能にし、
固定器具が、凹球面を有し、該固定器具は、該第２のアダプタ部分の該凸球面を囲み、該第１のアダプタ部分に取り付けられ、該第２のアダプタ部分は、該固定器具と該第１のアダプタ部分との間に捕捉される、項目１３に記載のアセンブリ。
（項目１６）
前記第２のアダプタ部分と前記固定器具との間に配置された第１のシール、および該固定器具と前記第１のアダプタ部分との間に配置された第２のシールをさらに備える、項目１５に記載のアセンブリ。
（項目１７）
前記固定器具は、前記第１のアダプタ部分を螺合するナットを備える、項目１５に記載のアセンブリ。
（項目１８）
前記スプリンクラをさらに備える、項目１３に記載のアセンブリ。
（項目１９）
前記スプリンクラへの前記導管の取付けをもたらすために、該スプリンクラと該導管の前記第２の端部との間に配置された第２のアダプタであって、該第２のアダプタは、該スプリンクラと該導管との間に流体的な連絡を提供する第２の穴を有し、該第２のアダプタは、該スプリンクラに取付け可能な第３のアダプタ部分、および該導管の該第２の端部に取り付けられた第４のアダプタ部分を有し、該第３のアダプタ部分と第４のアダプタ部分とは、互いに相対的に回転可能である、第２のアダプタをさらに備える、項目１３に記載のアセンブリ。
（項目２０）
前記第４のアダプタ部分は、前記導管の前記第２の端部に取り付けられた第２のチューブを備え、該第２のチューブは、前記第３のアダプタ部分の前記第２の穴の中に受容され、
リングシールが、該第３のアダプタ部分と第４のアダプタ部分の間に流体密の接続をもたらすために、該第２のチューブの外面と該第３のアダプタ部分の該第２の穴の内面との間に配置され、
分割リングが、該第２のチューブの該外面と該第３のアダプタ部分の該第２の穴の該内面との間に配置され、該分割リングは、該第２のチューブの該外面に配置された、外を向く円周溝内に嵌合するサイズの内側部分を有し、該分割リングは、該第３のアダプタ部分の該第２の穴の該内面に配置された、内を向く円周溝内に嵌合するサイズの外側部分をさらに有し、該分割リングは、該第３のアダプタ部分と第４のアダプタ部分との間の相対的軸方向運動を防止するが、該第２の穴と同心の縦軸周りの、該第３のアダプタ部分と第４のアダプタ部分との間での相対的回転を可能にする、項目１９に記載のアセンブリ。
（項目２１）
前記第３のアダプタ部分は、自身の端部に配置され、前記第２の穴を囲む凹球面を備え、
前記第４のアダプタ部分は、該第２の穴を囲み、自身の１つの端部に配置された凸球面を備え、該第４のアダプタ部分の対向端部が、前記導管の前記第２の端部に取り付けられ、該第４のアダプタ部分の該凸球面は、該第３のアダプタ部分の該凹球面内に嵌合し、それによって、該第３のアダプタ部分と第４のアダプタ部分とが互いに相対的に回転することを可能にし、
第２の固定器具が、凹球面を有し、該第２の固定器具は、該第４のアダプタ部分の該凸球面を囲み、該第３のアダプタ部分に取り付けられ、該第４のアダプタ部分は、該第２の固定器具と該第３のアダプタ部分との間に捕捉される、項目１９に記載のアセンブリ。
（項目２２）
前記第２の固定器具と前記第４のアダプタ部分との間に配置された第３のシール、および該第２の固定器具と前記第３のアダプタ部分との間に配置された第４のシールをさらに備える、項目２１に記載のアセンブリ。
（項目２３）
前記第２の固定器具は、前記第３のアダプタ部分を螺合するナットを備える、項目２１に記載のアセンブリ。
（項目２４）
前記スプリンクラをさらに備える、項目１９に記載のアセンブリ。
（項目２５）
スプリンクラを消火システムの分岐線に接続するアセンブリであって、該アセンブリは、
該分岐線に接続可能な第１の端部、および該スプリンクラに接続可能な第２の端部を有する可撓性の導管であって、該分岐線と該スプリンクラとの間に流体的な連絡を提供する、可撓性の導管と、
該可撓性の導管への該スプリンクラの取付けをもたらすために、該スプリンクラと該可撓性の導管の該第２の端部との間に配置されたアダプタと、
該アダプタに近接する該可撓性の導管の一部分を同軸上に囲むスリーブであって、該スリーブと該可撓性の導管とは、互いに相対的に回転可能であり、それによって、トルクが該スリーブを介して該可撓性の導管に印加されることを防止する、スリーブと
を備える、アセンブリ。
（項目２６）
前記スリーブは、複数の平坦な外を向く面を備える、項目２５に記載のアセンブリ。
（項目２７）
前記スリーブは、六角形断面を形成する６つの外を向く面を備える、項目２６に記載のアセンブリ。
（項目２８）
前記スリーブは、第１の縦に延在する縁、および該第１の縦に延在する縁と対面する、第２の縦に延在する縁を備える、項目２５に記載のアセンブリ。
（項目２９）
前記第１の縦に延在する縁は、前記第２の縦に延在する縁に離間して配置されて、その間に間隙を画定する、項目２８に記載のアセンブリ。
（項目３０）
前記可撓性の導管は、波形外面を有し、該波形外面は、中央空間の周囲に円周方向に延在し、該中間空間を画定する複数の第１の頂点および谷を備え、前記スリーブは、円周方向に延在し、離間している複数の第２の頂点および谷を備える波形の内向き面を有することにより、該第１の頂点および谷内に嵌合し、それによって、相対的な該導管への該スリーブの軸方向滑り運動を防止する、項目２５に記載のアセンブリ。
（項目３１）
前記可撓性の導管は、波形外面を有し、該波形外面は、中央空間の周囲に螺旋状に延在し、該中央空間を画定する複数の第１の頂点および谷を備え、前記スリーブは、螺旋状に延在し、離間している複数の第２の頂点および谷を備えることにより、波形の内向き面を有する該第１の頂点および谷内に嵌合し、それによって、相対的な該導管への該スリーブの軸方向滑り運動を防止する、項目２５に記載のアセンブリ。
（項目３２）
前記スリーブと前記アダプタとの間の前記可撓性の導管上に載置された第１の段部であって、該可撓性の導管から半径方向外向きに突出する、第１の段部と、
該可撓性の導管上に載置され、該第１の段部の該スリーブの対向端部に配置された第２の段部であって、該第２の段部は、該可撓性の導管から半径方向外向きに突出し、該スリーブは、該第１の段部と第２の段部との間に捕捉される、第２の段部と
をさらに備える、項目２５に記載のアセンブリ。
（項目３３）
前記スプリンクラをさらに備える、項目２５に記載のアセンブリ。
【図面の簡単な説明】
【００１７】
【図１】図１は、本発明に従い、スプリンクラを消火システムの分岐線に接続するためのアセンブリの例示的実施形の等角／部分断面図である。
【図１Ａ】図１Ａは、図１に示すアセンブリの代替実施形態の部分図である。
【図２】図２は、本発明に従う、アセンブリの例示的実施形態の分解図である。
【図３】図３は、図２に示すアセンブリの実施形態の一部分の分解等角図である。
【図４】図４は、図３の線４−４で切り取った部分断面図である。
【図５】図５は、本発明に従う、アセンブリの例示的実施形態の一部分の分解等角図である。
【図６】図６は、図５に示すアセンブリの実施形態の一部分の分解等角図である。
【図７】図７は、図６の線７―７で切り取った部分断面図である。
【図８】図８は、本発明に従う、アセンブリの例示的実施形態の一部分の等角図である。
【図９】図９は、本発明に従う、アセンブリの例示的実施形態の一部分の等角図である。
【図１０】図１０は、図９に示す実施形態の部分断面図である。
【図１１】図１１は、本発明に従う、アセンブリの実施形態の一部分の等角図である。
【図１２】図１２は、図１１に示す実施形態の部分断面図である。
【発明を実施するための形態】
【００１８】
図１は、消火システムの分岐線１２をスプリンクラ１４に接続するアセンブリ１０を示す。スプリンクラは、本明細書では、消火液を発射する任意の装置と定義され、限定するものではないが、開いているか、閉じており火災に反応して開くかにかかわらず、スプリンクラ、ヘッド、ノズル、エミッタ等の項目を含むことに留意すること。アセンブリ１０は、分岐線１２に接続された第１の端部１８、およびスプリンクラ１４に接続される第２の端部２０を有する可撓性の導管１６を備える。分岐線１２は、消火システムが、本例では構造上の天井２４に載置される、構造物の一部分に取り付けられたパイプハンガ２２によって支持される。分岐線１２は、水（図示せず）等の消火液の加圧源と流体的な連絡する、ライザーパイプ２６に接続された多くの分岐線のうちの１つである。可撓性の導管１６の第２の端部２０付近にあるアセンブリ１０の一部分は、構造上の天井２４を隠すことを意図する吊り天井または吊り下げ天井（図示せず）等、装飾天井を支持する支持レール３２間に延在するか、または支持レール３２上に載置される、横梁３０上に載置されるブラケット２８によって係合される。ブラケット２８は、種々の実施形態を有し、図１に示す実施形態は、米国特許第７，７８４，７４６号に開示され、本明細書によって参照することにより組み込まれる。ブラケット２８は、横梁３０を受容するために、互いに離間して後壁３８に接続された、側壁３４および３６を含む。ブラケット２８はまた、アセンブリ１０の一部分を受容するＵ形開口部４０を有する。本例ではワイヤベイル４２であるロッキングナットが、側壁３４および３６に旋回可能に取り付けられ、アセンブリを横梁３０に付加するように、側壁と連動する。図１Ａは、米国特許第７，７３５，７８７号に開示され、本明細書によって本明細書に参照することにより組み込まれる、別の例示的ブラケット４４を図示する。ブラケット４４は、横梁３０を受容するために、互いに離間して後壁５０に各々取り付けられた、側壁４６および４８を備える。ブラケット４４はまた、アセンブリ１０の一部分を受容する、Ｕ形開口部５２を有する。本例ではフィンガ５４であるロッキングナットは、側壁４６および４８へ端部で旋回可能に取り付けられる。対向端部は、アセンブリを横梁３０に付加するように、旋回蝶ナットアセンブリ５５によって、側壁４６および４８を固定する。
【００１９】
図２は、アセンブリ１０の例示的実施形態を詳細に図示し、可撓性の導管１６は、耐腐食性で、可撓性があるが頑強な流体密封部材を提供する波形ステンレス鋼ホース５６を備える。アセンブリ１０の第１の端部１８にて、導管１６（ホース５６）は、サドル金具５８に接続される。サドル金具は、その中の開口部を通って分岐線１２の片側を密封して係合し、ストラップ６２によって、分岐線に取り付けられる、サドル６０を備え、ストラップ６２は、分岐線１２の対向側に巻き付き、サドル６０にボルトで留められる。また、導管１６を分岐線１２に接続するために、アダプタを使用した直接溶接、またはねじ式「Ｔ字形」金具の使用等の種々の手段が可能であるが、ただ所望の場所に分岐線内の適切なサイズの開口部を穿設し、サドル６０を開口部と係合し、ストラップ６２をサドル６０にボルトで留めることだけで、サドル金具は分岐線１２の長さに沿ってどこにでも設置することができるため、サドル金具５８の使用により、これらの他の接続手段に勝る利点が提供される。したがって、サドル金具５８により、溶接だけでなく、設計において接続点の正確な位置を決定する必要性もが排除され、設置者が、スプリンクラ１４の所望の位置および導管１６の長さに対して、サドル金具が最も好適である接続を配置することを可能にする。この特徴により、設計者が、システムにおける多数のＴ字形金具の正確な場所を計算し特定する必要がなくなるため、プロジェクトの設計段階だけでなく、設置中の両方で時間が節約され、かつ設置者は、Ｔ字形金具が位置する場所で接続することを強いられず、より大きな動作の自由が許容されるため、設計の明らかな誤りを設置中に防止することができる。
【００２０】
再び、図２の分解図を参照すると、導管１６のスプリンクラ１４への（およびサドル金具５８を介する分岐線１２への）接続は、回転可能なアダプタ６４によってもたらされてもよい。図３および４に詳細に示すように、例示的アダプタ６４は、スプリンクラ１４と導管１６との間に配置される。アダプタ６４は、縦穴６６を有し、スプリンクラ１４に取付け可能な第１のアダプタ部分６８、および導管１６の端部２０に取り付けられる第２のアダプタ部分７０から形成される。本例では、アダプタ部分６８へのスプリンクラ１４の取付けは、スプリンクラ１４の適合する雄ねじ山７４を受容する、１つの端部の雌ねじ山７２（例えば、ＮＰＴねじ山）を使用してもたらされる。ろう付け、溶接、半田付け、およびバヨネットマウント等のねじ無し接続のような、他の取付け手段も、もちろん可能である。
【００２１】
アダプタ部分６８および７０は、穴６６と同心の縦軸７４周りで、互いに相対的に回転可能である。アダプタ部分が互いに相対的に回転することを可能にすることによって、軸７４周辺の導管１６へのトルクの印加は、例えば、スプリンクラ１４をアダプタに取り付ける時、あるいはアダプタをブラケットまたは他の指示部（図１も参照）上に取り付ける時に、防止されるだけでなく、地震活動または振動によって引き起こされるトルクをも防止する。
【００２２】
図４に詳細に示すように、アダプタ部分６８と７０との間の相対的回転は、分割リング７６の使用によって可能になる。第２のアダプタ部分７０は、導管１６の端部２０に取り付けられたチューブ７８を備える。第１のアダプタ部分６８の穴６６は、チューブ７８を受容するサイズである。「スナップリング」として商業的に知られる分割リング７６は、アダプタ部分間の相対的軸方向運動を防止し、それによって、導管１６をスプリンクラ１４に結合する一方で、それらの部品間の相対的回転を可能にするのに使用される。分割リング７６は、チューブ７８の外面８４に配置された、外を向く円周溝８２内に嵌合する大きさの、内側部分８０を有する。分割リング７６はさらに、第１のアダプタ部分６８の内面９０上に配置された、内を向く円周溝８８内に嵌合する大きさの、外側部分８６を有する。分割リング７６と円周溝８２および８８との間の係合により、アダプタ部分６８および７０間の相対的回転は阻害されないが、相対的軸方向運動は防止される。リング７６が分割されるという事実により、分割リングに対してよく理解されているように、互いの方へまたは互いから離れるように、リングの自由端部を押し出すことによって、より小さいまたはより大きい直径に、リングを圧縮または拡張することが可能になる。これにより、リング部分をアダプタ部分の円周溝から係脱することが可能になり、それによって、分割リングに対してよく理解されているように、アダプタ部分６８および７０の組み立ておよび分解を可能にする。例えば、エラストマーＯリングといった、１つ以上のリングシール９２は、アダプタ部分の間に流体密の接続をもたらすために、チューブ７８の外面８４とアダプタ部分６８の内面９０との間に配置される。図２に示すように、例示的回転可能なアダプタ６４は、導管１６とスプリンクラ１４との間、および／または導管１６とサドル金具５８（または他の取付け手段）との間に使用してもよい。
【００２３】
図５〜７は、任意の軸周りに作用されるねじり力から、導管１６を隔離することに使用することができる回転可能なアダプタ９４の別の例を図示する。図５に示すように、アダプタ９４は、スプリンクラ１４と導管１６との間、および／または導管と分岐線への取付け手段（本例では、サドル金具５８）との間に配置されてもよい。導管１６へのスプリンクラ１４の取付けについて、図６および７に詳細に示すように、回転可能なアダプタ９４は、１つの端部に配置され穴１００を囲む凹球面９８を有する、第１のアダプタ部分９６を備える。スプリンクラ１４は、第１のアダプタ部分９６の対向端部上に載置されてもよい。第２のアダプタ部分１０２は、１つの端部に、穴１００を囲む凸球面１０４を有する。アダプタ部分１０２の対向端部は、導管１６に取り付けられる。凸球面１０４は、アダプタ部分９６の凹球面９８内に嵌合する大きさであり、それによって、いずれか３つの相互に垂直な軸周りの、アダプタ部分間の相対的回転を可能にする玉継手を生成し、したがって、例えば、スプリンクラが設置されるとき、またはアセンブリが支持部上に載置されるとき、導管１６を、スプリンクラと分岐線との間の相対運動によって作用されるねじり力からだけでなく、スプリンクラまたはアダプタ部分９６に印加される力からも隔離する。アダプタ部分９６と１０２とは、固定器具１０６によって共に担持される。固定器具１０６は、第２のアダプタ部分１０２の凸球面１０４を囲む、凹球面１０８を有する。固定器具は、第１のアダプタ部分９６に取り付けられる。図７に示す例では、固定器具は、ねじ山１１２を使用して、第１のアダプタ部分９６を係合するナット１１０を備える。他の取付け手段もまた可能である。アダプタ９４の流体密性を保証するために、シール１１４は、第２のアダプタ部分１０２と固定器具１０６との間に配置されてもよく、別のシール１１６は、固定器具１０６と第１のアダプタ部分９６との間に配置されてもよい。シールは、Ｏリング等のエラストマーリングであってもよい。
【００２４】
図８は、アダプタ１１７に近接する可撓性の導管１６の一部分を同軸上に囲むスリーブ１１５を備える、別の例示的アセンブリの実施形態を示す。アダプタ１１７は、本例では、アダプタの１つの端部に配置されたユニオン金具１１８によって、導管１６に結合され、取付けをもたらすように、スプリンクラ（図示せず）の雄ねじを、他の端部の雌ねじ１２０で受容する。スリーブ１１５は、ステンレス鋼等の耐久性材料から成ってもよく、複数の外を向く平面１２２を有して、図１に示すブラケット２８等のマウンティングブラケットによって、スリーブを容易に捕捉することを可能にする。図８に示す例示的スリーブには、六角形スリーブ断面を形成する、６つの平面１２２がある。
【００２５】
図８に示す実施形態では、スリーブ１１５は、第２の縦に延在する縁１２８と対面する、第１の縦に延在する縁１２６を有する分離単一体１２４から形成される。縁１２６および１２８は、間隙１３０を画定するために、互いに離間してもよい。この構成により、スリーブ１１５が、半径方向に規約を拡張する能力を伴うコレットとして働くことを可能にする。本実施形態では、スリーブ１１５は、自由に導管１６周りを回転するが、軸方向運動は、１対の固定された半径方向に突出する段部１３２および１３４によって防止される。段部１３２は、スリーブ１１５とアダプタ１１７との間に配置された導管１６上に載置され、段部１３４は、段部１３２からのスリーブの対向端部に配置される。段部１３２および１３４は、導管１６から半径方向外向きに突出し、スリーブの端部を係合することによって、段部間でスリーブ１１５を捕捉する。
【００２６】
図９および１０は、波形外面１３８を伴う可撓性の導管１６上に載置されたスリーブ１３６を有する、別のアセンブリ実施形態を図示する。波形外面は、周囲に螺旋状に延在し、中央空間１４４を画定する、複数の頂点１４０および谷１４２から成る。図１０に示すように、スリーブ１３６は、螺旋状に延在し、可撓性の導管１６の波形外面１３８の頂点１４０および谷１４２内に嵌合する大きさであり、嵌合するために離間している、複数の頂点１４８および谷１５０を備える、波形内向き面１４６を有する。スリーブ１３６の頂点および谷と導管１６との間の係合により、スリーブの相対的に導管への軸方向滑り運動が防止されるが、導管１６に対してスリーブ１３６が回転する際のねじの動きにより、スリーブ１３６がブラケット２８（図１参照）等の支持部によって受容される時に、スプリンクラ（図示せず）が装飾天井に対して適する場所にあるように、スリーブを導管に沿って必要とされるように配置することを可能にする。スリーブ１３６と導管１６の波形面１３８との間のねじ式係合により、スリーブに対する導管の有意な軸方向運動なしに、スリーブに対する導管の制限された回転を可能にする（それによって、トルクが導管１６に印加されるのを防止する）。図９の例示的実施形態では、アダプタ１５２は、ユニオン金具１５４によって導管１６に接続され、アダプタは、スプリンクラの雄ねじを受容するように、雌ねじ１５６を有する。
【００２７】
図１１および１２に示す別のアセンブリ実施形態では、導管１６の波形面１３８を形成する頂点および谷１４０および１４２は、螺旋状に配設されず、周囲に円周方向に延在し、中央空間１４４を画定する。本実施形態では、スリーブ１５８はまた、スリーブ内面１６４の周囲に円周方向に延在する、複数の頂点１６０および谷１６２をも有する。スリーブ１５８の頂点１６０および谷１６２は、導管１６の頂点１４０および谷１４２を係合する大きさであり、係合するように離間しており、したがって、スリーブ１５８の相対的に導管１６への滑る軸方向運動を防止する一方で、２つの部品間の相対的回転運動を可能にする。本実施形態では、スリーブ１５８は、間隙１６６からも明らかなように（図１１参照）、分割されている。これにより、外向きにスリーブを弾性的に変形して、その頂点および谷を導管１６の谷および頂点から係脱することによって、スリーブ１５８を導管に沿って軸方向に配置することが可能になり、スリーブを導管に沿って所望の位置へ移動させ、それから、スリーブを放出し、その弾力性によって頂点および谷を係合する、その変形されていない形状に戻すことを可能にする。
【００２８】
本明細書で提供される実施形態は、例として、ユニオン継手を示しており、ＮＰＴアダプタだけでなく、固定ＮＰＴスプリンクラ排出口、旋回式スプリンクラ排出口等の他のタイプの接続も、本発明に従うアセンブリと共に使用することが可能であることは、理解されるものとする。
【００２９】
本発明に従う、スプリンクラを消火システムの分岐線に接続するアセンブリは、従来の技術に勝る数々の利点を提供するであろう。アセンブリは、分岐線上に設置されることが容易で、スプリンクラの最終位置の大きな調整機能を提供し、それによって、設計および設置の業務を単純化する。回転可能なアダプタまたはスリーブによって与えられた回転自由により、アセンブリを締め過ぎることがさらにより難しくなり、その結果、設置時、または地震性の事象中に損傷が起こる可能性を著しく減少する。加えて、アセンブリは、ユニットとして試験された圧力損失であり得（設置されたスプリンクラがあってもなくても）、それによって、アセンブリの各構成要素に対する等価長の和として、等価長の計算を用いる代わりに、損失水頭を示す１つの等価長の数字をシステム設計者に提供する。これにより、水力計算の精度が向上するはずである。さらに、スプリンクラヘッドを含むアセンブリ全体は、増加した精度の単一の単純化されたＫ係数を提供する、試験されたＫ係数であってもよく、Ｋ係数は、ノズルでの圧力の平方根の関数として、ノズルの流量を決定することに使用される比例定数である。
【００３０】
本明細書に開示される例示的アセンブリの実施形態は、消火システムとの関連において記載される一方、説明は例であり、本明細書で開示するアセンブリの実施形態はまた、望ましくなく、かつ損失を与える可能性のある印加されるトルクから隔離することが所望される、可撓性の導管によって液体が伝えられる、還流システム等の他のシステムと共に使用されてもよいことは理解されるものとする。
【図１】
0005628318.tif 000002
【図１Ａ】
0005628318.tif 000003
【図２】
0005628318.tif 000004
【図３】
0005628318.tif 000005
【図４】
0005628318.tif 000006
【図５】
0005628318.tif 000007
【図６】
0005628318.tif 000008
【図７】
0005628318.tif 000009
【図８】
0005628318.tif 000010
【図９】
0005628318.tif 000011
【図１０】
0005628318.tif 000012
【図１１】
0005628318.tif 000013
【図１２】
0005628318.tif 000014